(57)【要約】      （修正有）【課題】パソコンで文字入力する時キーボードのそれぞれキーの位置が確認しやすく、キーの役割が覚えやすく、かつそれぞれの手の指が正確にキーをうつために、Ｆ，Ｊ，のキー以外のキーに突起をつけたキーのあるキーボードを提供する。【解決手段】キーボードのキーは一定の規則に従って整然と並んでいる。入力時手の指のうつ役割分担はきまっている。人差指の守備範囲は広いが、Ｖ，Ｒ，４，Ｍ，Ｕ，７，の各キーに突起をつけることによって、位置が確認しやすく、覚えやすく、移動しやすい。また、ホームポジションにあるＡ，Ｓ，Ｄ，Ｋ，Ｌ，；各キー、ホームポジションの各キーから離れたＥｓｃ，Ｄｅｌｅｔｅ，ＢａｃｋＳｐａｃｅ，半角全角、それぞれのキー、さらにＣｔｒｌ，Ａｌｔ，Ｄｅｌｅｔｅ，キーに突起をつける。【選択図】  図１
2004213389.tif 000002
【特許請求の範囲】
【請求項１】
キーボードでホームポジションの突起つき、のＦとＪの各キーを基点にして、一定の配列のキーに順次、突起を設けたキーボード。
【発明の詳細な説明】
【０００１】
【発明の属する技術分野】
この発明はパソコンのキーボードの突起のあるＦ，Ｊの各キーを基点にして、他のキーに突起をつけたキーに関するものである。
【０００２】
【従来の技術】
従来、パソコンのキーボードのＦ，とＪのキーに突起をつけたキーボードがあった。
【０００３】
【発明が解決しようとする課題】
これは次のような欠点があった。
（イ）パソコンのキーボードで入力する時、他の指に比較して、人差指の守備範囲は広く、配列はかつ斜めに移動しなければ、ならず、隣を上下の他のキーをうちまちがえることがある。
（ロ）キーボードのホームポジションの各キー、Ａ，Ｓ，Ｄ，Ｆ，Ｊ，Ｋ，Ｌ，；れ、の各キーを基点から遠く離れたキーで、位置の確認がしにくい。例えば、Ｄｅｌｅｔｅ，ＢａｃｋＳｐａｃｅ，Ｅｓｃ，半角全角キーなど。
本発明はこれらの欠点を除くためになされたものである。
【０００４】
【課題を解決するための手段】
（１）キーボードのキーの中心である、突起つきの、Ｆ，Ｊ，のキーを基点として人差指の守備範囲にあるそして斜めに移動して配列している  Ｖ，Ｒ，４，Ｍ，Ｕ，７，の各キーに突起を設ける。
（２）ホームポジションの突起のついたＦ，Ｊ，以外のＡ，Ｓ，Ｄ，Ｋ，Ｌ，；の各キーに突起を設ける。
（３）ホームポジションにあるＡ，Ｓ，Ｄ，Ｆ，Ｊ，Ｋ，Ｌ，；各キーの基点から遠く離れた、ＥＳＣ，Ｄｅｌｅｔｅ，ＢａｃｋＳｐａｃｅ，半角全角，ｃｔｒＬ，ＡＬｔ，Ｆ６，Ｆ７，Ｆ８，Ｆ９，Ｆ１０各キーに突起を設ける。
（４）Ｗ，１め，各キーに突起を設ける。
本発明は、以上の構成よりなる突起つきキーのあるキーボードである。
【０００５】
【発明の実施の形態】
以下、本発明の実施例について説明する。
（イ）キーボードの中心であるＦ，とＪのキーを基点として、斜め上下に配列しているＶ，Ｒ，４，Ｍ，Ｕ，７，各キーに突起を設ける。
（ロ）ホームポジションにある、突起つきＦとＪ以外のＡ，Ｓ，Ｄ，Ｋ，Ｌ，；各キーに突起を設ける。
（ハ）ホームポジションの各キーの基点から遠く離れているＥＳＣ，Ｄｅｌｅｔｅ，ＢａｃｋＳｐａｃｅ，半角全角，ＣｔＲＬ，ＡＬｔ，Ｆ６，Ｆ７，Ｆ８，Ｆ９，Ｆ１０，各キーに突起を設ける。
（ニ）Ｗ，１め各キーに突起を設ける。
本発明は以上のような構造で、これを使用するときは、
（１）人力する時にＦ，とＪのキーを基点として、人差指は斜め上下に移動する時に、Ｖ，Ｒ，４，Ｍ，Ｕ，７，の各キーに突起があると、各キーの隣と上下の各キーの位置、が確認しやすく、又覚えやすく使いやすい。
（２）ホームポジョンの各キーを基点から離れたＥｓｃ，Ｄｅｌｅｔｅ，Ｂａｃｋ，Ｓｐａｃｅ，半角全角，ＣｔｒＬ，ＡＬｔ，各キーに突起を設けると、位置が確認しやすく、覚えやすく、使いやすい。
（３）Ｗ，１め，各キーに突起があると、インターネットの時使いやすい。
【０００６】
【発明の効果】
キーボードのホームポジションのＦとＪの各キーに、突起があると入力時の効果は大きい。
一定の配列にあるキーに順次突起を設けると、突起をつけたキーの隣と上下のキーの位置確認、しやすく、覚えやすい。突起をつけた効果はＦ，とＪに突起をつけた効果と同様である。人差指の守備範囲は広く、多いのでその効果は大である。基点から離れたキーの距離感もつかめ、役割も覚えやすい。パソコンがフリーズした時にＣｔｒｌ，ＡＬｔ，Ｄｅｌｅｔｅ，各キーに突起があると、ＣＡＤ操作が瞬時に間違いなく可能である。
ＣＡＤ操作とはＣｔｒｌ，ＡＬｔ，Ｄｅｌｅｔｅの各キーを同時に押す操作である。
【図面の簡単な説明】
【図１】本発明のキーボードの平面図
【図２】本発明のキーボードの突起つきキーの平面図
【図３】本発明のキーボードの突起つきキーの側面図
【符号の説明】
１キーボード本体、２キー  ３突起
【図１】
2004213389.tif 000003
【図２】
2004213389.tif 000004
【図３】
2004213389.tif 000005
【手続補正書】
【提出日】平成16年1月5日(2004.1.5)
【手続補正２】
【補正対象書類名】明細書
【補正対象項目名】全文
【補正方法】変更
【補正の内容】
【特許請求の範囲】
【請求項１】パソコン用キーボードでホームポジションホームキーに突起を設けて、Ｆのキー、とＪのキーを基点にして、一定の配列のキーに順次突起を設けたパソコン用キーボード。
【発明の詳細な説明】
【技術分野】
【０００１】
本発明はパソコンキーボードで文字入力作業が効力よく、間違いなく、打鍵が可能な突起つきパソコン用キーボードに関するものである。
【背景技術】
【０００２】
従来のパソコンキーボードはＦのキーとＪのキーに直線の突起を設けて、キー全体の中心の位置を両手の人差し指でＦとＪの各キーの位置を確認し文字入力或いは入力練習していた。
【発明の開示】
【発明が解決しようとする課題】
【０００３】
（１）パソコンの電子式キーボードの配列は、現在でも、機械式タイプライターの影響をうけて、タイプライターと同様のキーの配列になっているキーボード配列、数の段、上段、中段、下段、の各キーの位置が斜めに若干ずれている。各指が斜め移動しにくい形態になっている。
この斜め移動しにくくさが疲労となって、ストレスの原因となる。
従来のパソコンキーボードＦとＪのキーに直線の突起を設けた本来の目的は全体のキーの中心の位置を確認するのには適しているが、各指の斜め移動によるストレスの原因を軽減する役割は少ない。
（２）従来のパソコンキーボードで文字入力時、各指のホームポジションのキーはずれやすく、位置が正確に確認しにくく、正確にマスターせず、適当に文字入力していると誤って打鍵し、正確に文字入力するのにかなりの時間がかかった。
従来のパソコンキーボードでは各指の位置のずれの原因軽減の効果は少ない。
（３）パソコンのキーボードで文字入力する時、他の指に比較して、人差指の守備範囲は広く、配列は斜めに若干ずれていて、斜めに移動しなければならず、隣のキー、下段のキー、中段のキー、上段のキー、数の段のキーを誤って打鍵することが多い。従来のパソコンキーボードでは斜め移動を容易にしてくれない。
本発明はこれらの欠点を除くためになされたものである。
【課題を解決するための手段】
【０００４】
上記欠点に鑑み、本発明はなされたものである。
両手の人差指、中指、薬指、小指のホームポジションホームキーに突起を設け、且つホームキーのＦのキーとＪのキーを基点にして、斜め下段、中段、上段、数の段の各キーに突起を設け、且つ、ホームキーから遠く離れて、文字入力時によくつかうキーに、突起を設けた構造とする。
ホームポジションを基本配列ホームキーと定め、この配列に対して、ホームキーのＦのキーとＪのキーを基点にした、斜め上段、中段、下段、数の段の配列を準基本配列セカンドホームキー、と決める。
【発明の効果】
【０００５】
（１）ホームポジション基本配列ホームキー、Ａのキー、Ｓのキー、Ｄのキー、Ｆのキー、とＪのキー、Ｋのキー、Ｌのキー、；のキー、の各キーに突起を設けて、且つ、Ｆのキー、Ｊのキー、を基点にして、斜め、数の段、上段、中段、下段、各キー、配列を準基本配列セカンドホームキーと決め、Ｖのキー、Ｒのキー、４のキー、とＭのキー、Ｕのキー、７のキーに突起を設けたパソコン用キーボードと成すことにより、文字入力時、両手の人差指、中指、薬指、小指、が突起の触覚に頼って各指の位置がずれることなく正確に確認が可能である、尚且つ、正確に打鍵が可能である。
基本配列ホームキーのＦのキーとＪのキーを基点にして、斜め、数の段、上段、中段、下段、の各キーの突起の触覚で位置が確認でき、且つ、人差指の斜め移動が、容易であり、正確な打鍵が可能である。
（２）文字入力時、右手の小指は左手の小指に比較して、守備範囲は広く、数も多い、詳しく説明する。
ホームキーの；キを基点にして、；のキーの突起の触覚に頼って、斜下段の／（スラッシュ）キー、右隣の＼（スラッシュ）キー、；のキーの右隣：のキー、；のキーの上段Ｐのキー、とその隣＠のキー、数の段、０のキー、その隣−のキー、各キーの位置の確認が可能で正確に打鍵が可能である。
（３）、文字入力時、基本配列ホームキー、Ａのキー、Ｓのキー、Ｄのキー、Ｋのキー、Ｌのキーの各キーを基点にして、斜め上段、中段、下段、数の段の各キーの移動について説明する。
基本配列ホームキーのＡのキーを基点にして、斜め上段Ｑのキー、下段、Ｚのキー、数の段、Ｉのキー、この配列の各キーを、Ａのキーの突起の触覚に頼って、各キーの位置の確認でき、容易に移動が可能であり、正確に打鍵できる。
同様にして、ホームキーのＳのキー、を基点にして、Ｓのキーの下段Ｘのキー、上段Ｗのキー、数の段２のキー、各キーをＳのキーの突起の触覚に頼って、位置が正確に確認でき、正確に打鍵できる。
ホームキー、Ｄのキーを基点にして、斜め、下段Ｃのキー、上段Ｅのキー、数の段、３のキー、の各キーをＤのキーの突起の触覚に頼って、斜め移動し、正確に位置が確認でき、正確に打鍵できる。ホームキーのＫのキー、を基点にして、Ｋのキーの下段，のキー、上段Ｉのキー、数の段、８のキー、ホームキーのＬのキーを基点にして、下段・のキー、上段Ｏのキー、数の段９のキー、この配列をＬのキーの突起の触覚を頼って位置の確認（各キーを覚える。
以上、を特徴とするキーボード。
【発明を実施するための最良の形態】
【０００６】
図１、図２、図３、図４、図５、は本発明の実施の形態を示している。
この図をもとにして説明する。
（１）図１はパソコンキーボード入力用キーである。
ホームポジションホームキー、Ａのキー、Ｓのキー、Ｄのキー、Ｆのキー、とＪのキー、Ｋのキー、Ｌのキー、；のキー、の突起つき各キーに、左手人差指、中指、薬指、小指、と右手人差指、中指、薬指、小指を置く。
突起の触覚の効果で各指がずれることなく、位置の確認が可能である。尚且つ、正確に配置が可能である。
（２）図２はホームポジションホームキーＦのキー、とＪのキーを基点にして、左手人差指で、Ｖのキー、Ｆのキー、Ｒのキー、４のキー突起つき、各キーの触覚を頼って移動し各キーを打鍵する。
右手人差指でＭのキー、Ｊのキー、Ｕのキー、７のキー、突起つき、各キー、の触覚を頼って移動し各キーを打鍵する。
突起の触覚の効果で人差指の移動を容易にずれることなく可能である。
（３）図３はホームキーから遠く離れて、文字入力時よくつかうＤｅＬｅｔｅキー、ＢａｃｋＳｐａｃｅキー、ＥＳＣキーに突起を設けた図である。
（４）図４は左手、人差指、中指、薬指、小指、と右手人差指、中指、薬指、小指、両手の各指の役割分担を示す図である。
（５）図５はキーの突起の詳細図である。
次に本発明について説明する。
図１はホームキーの各キーの突起つき、の触覚の効果で両手の各指がずれることなく配置できる。
図２セカンドホームキーの各キーの突起つき、両手の人差指が突起の触覚の効果で、斜め移動が容易にできる。
両手の人差指の守備範囲は広く多くのキーを打鍵しなければならない。
左のセカンドホームキーの突起つきキーを基点にして突起の触覚で各キーの右隣のキーの位置とキーを覚える。右のセカンドホームキーを基点にして、突起の触覚で各キーの左隣のキーの位置とキーを覚える。
図２の右手の小指について説明する。
ホームキーの突起つき；のキーを基点にして、斜め下段の／（スラッシュ）キー、上段のＰのキー、数の段の０のキー、各キーの配列を覚える、且つ、各キーの右隣の＼（スラッシュ）のキー、＼（スラッシュ）のキー、：のキー、＠のキー、−のキー、位置の確認し、各キーを覚える。
図１のホームキーＡのキー、Ｓのキー、Ｄのキー、について説明する。
左手の小指、薬指、中指、で突起つきの、Ａのキー、Ｓのキー、Ｄのキー、の各キーを基点にして、斜め下段のキー、上段のキー、中段のキー、数の段のキー、２のキー、Ａのキー、Ｑのキー、１のキー、の各キーを左手の小指で位置を確し覚える。
Ｘのキー、Ｓのキー、Ｗのキー、２のキー、の各キー、を左手の薬指で位置を確し覚える。
Ｄのキー、Ｃのキー、Ｅのキー、３のキー、各キーを左手の中指で位置を確し覚える。
右手の中指、薬指、で突起つき、のＫのキー、Ｌのキー、の各キーを基点にして、Ｋのキー、，のキー、Ｉのキー、８のキー、とＬのキー、・のキー、Ｏのキー、９のキー、各キーを、右手の中指と薬指で各キーの位置と各キーを覚える。
【実施例】
【０００７】
発明者である、本人の実施例について説明する。
私は、高齢者の一人である、パソコンは苦手な年代である、文字入力はパソコンの操作で避けて、通れない作業である、入力作業には疲労がかさなって、大きなストレスが溜った。苦手意識を克服する、ために、本発明の突起をキーに設けて、文字入力練習し、ブラインドタツチで入力が可能なまでに上達した。
【産業上の利用の可能性】
【０００８】
（１）政府はユビキタス社会をめざしている。
コンピューターは、私達の日常生活に深くかかわって来た。０００７記載の高齢者がパソコンに挑戦する人が多くなった、しかし、折角はじめたパソコンも、人力作業が苦痛になり、途中で止めてしまう方も少なくない、折角購入した高価なパソコンも埃をかぶっている人もいる、高齢者のみならず、パソコンの文字入力が苦手な人は潜在的にかなりある。
ビジネスマンや、ＳＯＨＯ自宅で独立している方にとって、必ず厳しい納期がついて廻る、納期が迫ってくると、かなりのストレスを感じる。文字入力がブラインドタツチでできたら！と感じる人もいる、パソコンはかなりの長い経験があり、パソコンの操作は熟達している方でも、文字入力は両手の人差指一本で打っている方もいる。
潜在的需要はある。
（２）パソコンキーボードの開発費用と製造原価ついて説明する。
開発費用は安価である。
製造原価も安価である。
（３）市場性について説明する。
潜在的需要は多く、開発費製造原価が安価である、開発期間も短期で製品化が可能である。
以上の特徴をもって市場性は良い。
【図面の簡単な説明】
【０００９】
【図１】ホームポジションホームキーＡのキー、Ｓのキー、Ｄのキー、Ｆのキー、Ｊのキー、Ｋのキー、Ｌのキー、；のキー、各キに突起を設けた基本配列ホームキー。
【図２】セカンドホームキー、Ｖのキー、Ｆのキー、Ｒのキー、４のキー、Ｍのキー、Ｊのキー、Ｕのキー、７のキー、各キーに突起を設けた準基本配列セカンドホームキー、
【図３】左手の人差指、中指、薬指、小指、右手の人差指、中指、薬指、小指上記各指の役割分担を示している。
【図４】ホームキーから離れたキー、
【図５】キー、突起
【符号の説明】
【００１０】
１．基本配列ホームキー、
２．準基本配列セカンドームキー、
３．右手と左手の指の役割分担、
４．ホームキーから離れたキー、
５．キー、突起、


【手続補正３】
【補正対象書類名】図面
【補正対象項目名】全図
【補正方法】変更
【補正の内容】
【図１】
2004213389.tif 000006
【図２】
2004213389.tif 000007
【図３】
2004213389.tif 000008
【図４】
2004213389.tif 000009
【図５】
2004213389.tif 000010